(57)【要約】  【課題】設置後においても、光源の配置を容易に調整することができ、外観上見栄えを損なうことがない照明器具を提供する。  【解決手段】照明器具１は、ＬＥＤユニット１３を収納し、ＬＥＤユニット１３の発光面に対向する側に配設されたパネル１６の外縁面に形成されたツース１６ｔを有する内部筐体１１ａと、内部筐体１１ａを内包し、枠部１８の内縁面に形成されたツース１８ｔを有して、天井板に取り付けられる外部筐体１１ｂから構成される。照明器具１を設置後に、ＬＥＤユニット１３の配置を調整する場合は、内部筐体１１ａを上方に押し上げて両ツース１６ｔ、１８ｔの噛み合いを解除し、次いで、内部筐体１１ａを外部筐体１１ｂに対して回動させる。【選択図】図１
2010231993.tif 000002
【特許請求の範囲】
【請求項１】
ＬＥＤ素子が実装されたＬＥＤユニットと、前記ＬＥＤユニットを収納し、建築部材に設けられた取付穴に埋め込んで取り付けられる円筒状の筐体と、を備える照明器具であって、
前記筐体は、
前記ＬＥＤユニットを収納し、前記ＬＥＤユニットの発光面に対向する側の円筒に形成された第１係合部を有する第１筐体と、
円筒内壁に形成され、前記第１係合部と係合することにより前記第１筐体を内包して支承する第２係合部を有し、前記建築部材に取り付けられる第２筐体と、
から構成され、
前記第１係合部と前記第２係合部との係合を解除した際に、
前記第１筐体が前記第２筐体に対して回動自在である
ことを特徴とする照明器具。
【請求項２】
請求項１に記載の照明器具であって、
前記第１係合部と前記第２係合部は、
それぞれ、互いに噛み合うツースから形成されることを特徴とする
照明器具。
【請求項３】
請求項１に記載の照明器具であって、
前記第１係合部と前記第２係合部は、
それぞれ、互いに当接するフランジから形成されることを特徴とする
照明器具。
【発明の詳細な説明】
【技術分野】
【０００１】
本発明は、発光ダイオードを光源とするダウンライト、シーリングライト等の照明器具に関する。
【背景技術】
【０００２】
従来から、図９及び図１０に示すように、開口部９２を有する筐体９１の内部に、ＬＥＤ素子が実装されたＬＥＤユニット９３と、ＬＥＤユニット９３の放射光を反射させる反射板９４と、ＬＥＤユニット９３で発生した熱を放散させる放熱シート９５と、ＬＥＤユニット９３の照射方向に配設された透光性のパネル９６と、ＬＥＤユニット９３を点灯させるための電力を供給する電源ユニット９７を収納する構成の照明器具９が提案されている。
【０００３】
この照明器具９は、筐体９１の下端で鍔状に設けられた枠部９８と、筐体９１の周面に突設された取り付けばね９９との間で天井板１０１を挟持することにより、天井に設けられた取り付け孔１０２に埋め込み固定される。
【０００４】
このような照明器具９を天井に設置すると、パネル９６を通してＬＥＤユニット９３の配置が透けて見える。
【０００５】
このような照明器具の天井への取り付けに際しては、種々の提案がなされている（たとえば特許文献１）。
【０００６】
図１１は、複数の照明器具９を天井に設置した場合に、透光パネル９６を通して透けて見えるＬＥＤユニット９３の配置を示す図である。照明器具９Ａ〜９Ｃにおいて、ＬＥＤユニット９３の数がそれぞれ１〜５個の場合に、ＬＥＤユニット９３の配置がそれぞれ異なって設置された例を示している。
【０００７】
このように、複数の照明器具９を設置した際に、ＬＥＤユニット９３の配置が照明器具ごとに異なると、外観上見栄えがよくない。
【０００８】
この問題を解決するには、照明器具９を天井板１０１に設けられた取り付け孔１０２に対して回動させることにより、ＬＥＤユニット９３の配置を全ての照明器具間で一致するように調整すればいいが、照明器具９は、枠部９８と取り付けばね９９で天井板１０１を挟持して強固に固定されているため、取り付け孔１０２に対して回動させるのは極めて困難であり、回動させるにしても非常に手間がかかる作業を必要とする。
【先行技術文献】
【特許文献】
【０００９】
【特許文献１】特開平８−１０２２０３号公報
【発明の概要】
【発明が解決しようとする課題】
【００１０】
本発明は、前記実情に鑑みてなされたもので、設置後においても、光源の配置を容易に調整することができ、外観上見栄えを損なうことのない照明器具を提供することを目的とする。
【課題を解決するための手段】
【００１１】
本発明の照明器具は、ＬＥＤ素子が実装されたＬＥＤユニットと、前記ＬＥＤユニットを収納し、建築部材に設けられた取付穴に埋め込んで取り付けられる円筒状の筐体と、を備える照明器具であって、前記筐体は、前記ＬＥＤユニットを収納し、前記ＬＥＤユニットの発光面に対向する側の円筒に形成された第１係合部を有する第１筐体と、円筒内壁に形成され、前記第１係合部と係合することにより前記第１筐体を内包して支承する第２係合部を有し、前記建築部材に取り付けられる第２筐体と、から構成され、前記第１係合部と前記第２係合部との係合を解除した際に、前記第１筐体が前記第２筐体に対して回動自在であることを特徴とするものである。
【００１２】
この構成により、第１筐体の第１係合部と、第２筐体の第２係合部との係合を解除することで、第２筐体に内包された第１筐体が回動自在になり、設置後においても、ＬＥＤユニットの配置を容易に調整することができる。また、複数の照明器具を設置した場合に、外観上見栄えを損なうことがない。
【００１３】
また、本発明は、上記の照明器具において、前記第１係合部と前記第２係合部は、それぞれ、互いに噛み合うツースから形成されることを特徴とするものである。
【００１４】
この構成により、第１筐体の第１係合部と第２筐体の第２係合部とのツースによる係合を解除することで、第２筐体に内包された第１筐体が回動自在になり、設置後において、ＬＥＤユニットの配置を容易に調整することができる。
【００１５】
また、本発明は、上記の照明器具において、前記第１係合部と前記第２係合部は、それぞれ、互いに当接するフランジから形成されることを特徴とするものである。
【００１６】
この構成により、第１筐体の第１係合部と第２筐体の第２係合部とのフランジによる係合を解除することで、第２筐体に内包された第１筐体が回動自在になり、設置後において、ＬＥＤユニットの配置を容易に調整することができる。
【発明の効果】
【００１７】
本発明によれば、設置後においても、光源の配置を容易に調整することができ、外観上見栄えを損なうことのない照明器具を提供できる。
【図面の簡単な説明】
【００１８】
【図１】本発明の第１の実施の形態に係る照明器具の概略構成を示す図
【図２】図１におけるＡ部の概略構成を示す拡大断面図
【図３】本発明の第１の実施の形態に係る照明器具の概略構成を示す分解斜視図
【図４】図３におけるＢ部の概略構成を示す拡大斜視図
【図５】本発明の第１の実施の形態に係る照明器具において、ＬＥＤユニットの配置を調整する際の操作を説明するための図
【図６】本発明の第１の実施の形態に係る複数の照明器具を設置した場合に、ＬＥＤユニットの配置を示す図
【図７】本発明の第２の実施の形態に係る照明器具の概略構成を示す図
【図８】本発明の第２の実施の形態に係る照明器具において、ＬＥＤユニットの配置を調整する際の操作を説明するための図
【図９】従来の照明器具の外観を示す斜視図
【図１０】従来の照明器具の概略構成を示す図
【図１１】従来の複数の照明器具を設置した場合に、ＬＥＤユニットの配置を示す図
【発明を実施するための形態】
【００１９】
以下、本発明の実施の形態に係る照明器具について、図面を用いて説明する。本発明の実施の形態に係る照明器具は、例えば、天井に埋め込んで取り付けられるダウンライトである。
【００２０】
（第１の実施の形態）
図１及び図２は、本発明の実施の形態に係る照明器具の概略構成を示す断面図である。図２は図１の要部拡大図である。
【００２１】
図１及び図２において、本実施の形態の照明器具１は、それぞれ円筒状に形成された内部筐体１１ａと、内部筐体１１ａを内包する外部筐体１１ｂを備えている。
【００２２】
内部筐体１１ａは、光源である１ないし複数のＬＥＤユニット１３と、ＬＥＤユニット１３の放射光を図における下方に反射させる反射板１４と、ＬＥＤユニット１３で発生する熱を放散させるための放熱シート１５と、ＬＥＤユニット１３から放射された照明光を透過する略円形のパネル１６と、ＬＥＤユニット１３を点灯させるための電力を供給する電源ユニット１７を収納する。
【００２３】
ＬＥＤユニット１３は、不図示のプリント基板に実装され、電源ユニット１７から不図示の配線を介して電力が供給されて点灯し、パネル１６を通して図の下方に照明光を照射する。
【００２４】
反射板１４は、例えば、光沢のあるアルミニウム等の金属板を用いて傘状に形成され、ＬＥＤユニット１３から放射された照明光を図の下方に効率良く照射する。
【００２５】
放熱シート１５は、熱伝導性に優れたアルミニウム等の金属材をシート状に形成したものであり、ＬＥＤユニット１３の背部に設置されて、ＬＥＤユニット１３が点灯した際に発生する熱を放散させる。
【００２６】
パネル１６は、例えば、透明なアクリル樹脂やポリカーボネート樹脂等を略円板状に形成したもので、後述する開口部１２を通して外部に露出させた状態で配置される。
【００２７】
このパネル１６の外縁面には、図３及び図４の拡大図に示すように、複数のツース（歯）１６ｔが形成されている。
【００２８】
外部筐体１１ｂは、下部に開口部１２を有し、天井板に設けられた取付孔の周囲に密着させる枠部１８と、外部筐体１１ｂの周面に突設され、枠部１８との間で天井板を狭持する取り付けばね１９を備える構成である。
【００２９】
また、図２に要部拡大図を示すように、外部筐体１１ｂの枠部１８の内縁面には、複数のツース１８ｔが形成され、内部筐体１１ａのパネル１６に形成されたツース１６ｔと対向して噛み合うことにより、内部筐体１１ａを支承する。
【００３０】
次に、このように構成された照明器具１を設置後に、ＬＥＤユニット１３の配置を調整する際の操作を、図５を用いて説明する。
【００３１】
照明器具１が天井に設置された状態において、図５に示す白抜き矢印のように、内部筐体１１ａを上方に押し上げる。これにより、パネル１６に形成されたツース１６ｔと枠部１８に形成されたツース１８ｔが離隔し、噛み合わせが解除される。
【００３２】
次いで、内部筐体１１ａを開口部１２側から見て時計回り、叉は反時計回りに回動させる。これにより、開口部１２側から見たＬＥＤユニット１３の配置を円周方向に変更することができる。
【００３３】
このようにしてＬＥＤユニット１３を所望の配置に変更したら、続いて内部筐体１１ａを降ろす。これにより、ツース１６ｔとツース１８ｔは、再び噛み合うことになる。
【００３４】
これらの操作により、例えば、天井に複数の照明器具１が設置された後において、ＬＥＤユニット１３の配置が異なっていることが判明した場合に、ＬＥＤユニット１３の配置を容易に調整して統一することができる。
【００３５】
図６は、天井板に３台の照明器具１Ａ〜１Ｃが設置された場合に、調整後のＬＥＤユニット１３の配置を開口部１２側から見た図である。
【００３６】
図６に示すように、収納されるＬＥＤユニット１３の数に応じて、照明器具１Ａ〜１ＣにおけるＬＥＤユニット１３の配置を統一し、外観上見栄えを良くすることができる。
【００３７】
以上説明したように、このような本発明の第１の実施の形態に係る照明器具によれば、ＬＥＤユニットを収納する内部筐体の円筒端面に複数のツースを形成するとともに、天井板に取り付けられる外部筐体の枠部内壁に複数のツースを形成し、ツースの噛み合いによって内部筐体を支承する。そして、両ツースの噛み合いを解除することで、内部筐体を外部筐体に対して回動させ、ＬＥＤユニットの発光面に対向して見たＬＥＤユニットの配置を変更する。これにより、複数の照明器具を設置後に、ＬＥＤユニットの配置を統一するように調整することが容易に可能となる。
【００３８】
（第２の実施の形態）
図７は、本発明の第２の実施の形態に係る照明器具の概略構成を示す側面図（一部断面図）である。なお、図７において、第１の実施の形態の図１と同じ構成については、同一符号を付して説明を簡略に、若しくは省略する。
【００３９】
図７において、本実施の形態の照明器具２は、それぞれ円筒状に形成された内部筐体２１ａと、内部筐体２１ａを内包する外部筐体２１ｂと、圧縮コイルばね２２を備える構成である。
【００４０】
内部筐体２１ａは、外壁面に形成されたフランジ２３ａを有している。
【００４１】
外部筐体２１ｂは、内壁面に形成されたフランジ２３ｂを有し、これに当接するフランジ２３ａを介して内部筐体２１ａを支承する。
【００４２】
圧縮コイルばね２２は、ステンレス鋼線等のばね材から形成され、内部筐体２１ａの外壁頂部と外部筐体２１ｂの内壁天井部との間に配設されて、内部筐体２１ａに押圧力を及ぼす。これにより、フランジ２３ａとフランジ２３ｂの間で摩擦力を発生させ、内部筐体２１ａを外部筐体２１ｂに固定する。なお、圧縮コイルばね２２は、さらばね、板ばね、ゴム等の他のばね手段で代替することもできる。
【００４３】
次に、このように構成された照明器具２を設置後に、ＬＥＤユニット１３の配置を調整する際の操作を図８を用いて説明する。
【００４４】
照明器具２は、天井板に設置された状態において、図８に示す白抜き矢印のように、内部筐体２１ａを圧縮コイルばね２２の反撥力に抗して上方に押し上げる。すると、フランジ２３ａとフランジ２３ｂの間に隙間が形成される。
【００４５】
次いで、内部筐体２１ａを開口部１２側から見て時計回り、叉は反時計回りに回転させる。これにより、開口部１２側から見たＬＥＤユニット１３の配置を円周方向に変更することができる。
【００４６】
このようにしてＬＥＤユニット１３を所望の配置に変更し、続いて内部筐体１１ａを降ろすと、圧縮コイルばね２２の反撥力により、再びフランジ２３ａとフランジ２３ｂが当接して内部筐体１１ａが外部筐体１１ｂによって支承、固定される。
【００４７】
これらの操作により、天井に複数の照明器具１が設置された後において、ＬＥＤユニット１３の配置が異なっていることが判明した場合に、第１の実施の形態と同様に、ＬＥＤユニット１３の配置を容易に調整して統一することができる。
【００４８】
以上説明したように、このような本発明の第２の実施の形態に係る照明器具によれば、ＬＥＤユニットを収納する内部筐体の円筒外壁面にフランジを形成し、天井板に取り付けられる外部筐体の円筒内壁面にフランジを形成して、内部筐体の外壁頂部と外部筐体の内壁天井部との間に配設された圧縮コイルばねにより両フランジを当接させ、内部筐体を支承する。そして、内部筐体を圧縮コイルばねの反撥力に抗して上方に押し上げて両フランジの当接を解除することで、内部筐体を外部筐体に対して回動させ、ＬＥＤユニットの発光面に対向して見たＬＥＤユニットの配置を変更する。これにより、複数の照明器具を設置後に、ＬＥＤユニットの配置を統一するように調整することが容易となる。
【符号の説明】
【００４９】
１、２  照明器具
１１ａ、２１ａ  内部筐体
１１ｂ、２１ｂ  外部筐体
１２  開口部
１３  ＬＥＤユニット
１６  パネル
１６ｔ、１８ｔ  ツース
１８  枠部
１９  取り付けばね
２２  圧縮コイルばね
２３ａ、２３ｂ  フランジ
【図１】
2010231993.tif 000003
【図２】
2010231993.tif 000004
【図３】
2010231993.tif 000005
【図４】
2010231993.tif 000006
【図５】
2010231993.tif 000007
【図６】
2010231993.tif 000008
【図７】
2010231993.tif 000009
【図８】
2010231993.tif 000010
【図９】
2010231993.tif 000011
【図１０】
2010231993.tif 000012
【図１１】
2010231993.tif 000013